(57)【特許請求の範囲】
【請求項１】
光学機器のファインダ光学系を構成するレンズと、
前記レンズを支持する支持部材と、
前記支持部材と係合し、前記レンズをその光軸方向に移動するよう案内する案内部材と、
前記案内部材の少なくとも一端部を前記レンズの光軸と垂直方向に直線的に移動させる光軸調整部材とを有し、
前記案内部材は、棒状をなし、その少なくとも一端部が、前記レンズの光軸と垂直方向に延在するようにファインダ本体に形成された長孔に挿通され、前記光軸調整部材は、前記案内部材の一端部と係合する係合部を有し、前記案内部材の少なくとも一端部を前記長孔に沿って前記レンズの光軸と垂直方向に直線的に移動させるように構成され、
前記光軸調整部材を操作して、前記レンズを前記案内部材と共に前記光軸と垂直方向に移動することによりファインダ光軸を調整することを特徴とするファインダ光軸調整機構。
【請求項２】
前記係合部は、１対の突出片よりなるフォークで構成されている請求項１に記載のファインダ光軸調整機構。
【請求項３】
光学機器のファインダ光学系を構成するレンズと、
前記レンズを支持する支持部材と、
前記支持部材と係合し、前記レンズをその光軸方向に移動するよう案内する案内部材と、
前記案内部材の少なくとも一端部を前記レンズの光軸と垂直方向に直線的に移動させる光軸調整部材とを有し、
前記光軸調整部材は、前記レンズ以外のレンズをその光軸方向に移動するように案内する他の棒状の案内部材を中心に回動するよう設置され、
前記光軸調整部材をファインダ本体に対し回動するように操作して、前記レンズを前記案内部材と共に前記光軸と垂直方向に移動することによりファインダ光軸を調整することを特徴とするファインダ光軸調整機構。
【請求項４】
前記光軸調整部材は、該光軸調整部材を前記ファインダ光学系の入射側から操作し得る操作部を有する請求項１ないし３のいずれかに記載のファインダ光軸調整機構。
【請求項５】
ファインダ光軸の調整後、前記光軸調整部材を不動の状態としてその調整状態を維持する維持手段を有する請求項１ないし４のいずれかに記載のファインダ光軸調整機構。
【請求項６】
前記維持手段は、光軸調整部材の一部を挟持して固定する構成のものである請求項５に記載のファインダ光軸調整機構。
【発明の詳細な説明】
【０００１】
【発明が属する技術分野】
本発明は、例えばカメラのような光学機器のファインダにおけるファインダ光軸調整機構に関するものである。
【０００２】
【従来の技術】
コンパクトカメラのファインダ、特に実像式ファインダは、ファインダ光学系の光学要素として、例えば入射側（被写体側）から、第１レンズ、画角調整用の第２および第３レンズ（ズームレンズ）、反射ミラー、コンデンサレンズ、視野枠、ピント板、プリズム、接眼レンズが配置されている。
【０００３】
このようなファインダで視認される視野は、カメラの撮影光学系により実際に撮影される画面（以下「撮影画面」と言う）と一致していることが必要であり、ファインダ光学系を構成する前記各光学要素やそれらの配置は、この要求をできるだけ満足するように設計されている。
【０００４】
しかしながら、ファインダ光学系を構成する各光学要素は、光学要素自体の寸法誤差や、工場で組み立てられる際の組み立て誤差等から、設計通りの機能を発揮するとは限らず、ファインダで視認される視野が撮影画面に対しずれを生じることがある。
【０００５】
そのため、ファインダ光学系を組み立てる際に、ファインダで視認される視野が撮影画面と一致しまたは撮影画面を包含するように、ファインダ光軸（視野）の調整を行っている。
【０００６】
従来、このファインダ光軸の調整は、前記各光学要素のうち、反射ミラー、コンデンサレンズまたは視野枠の固定位置や姿勢（設置角度等）を変えることで対応していた。しかしながら、このような調整を行うための調整機構は、構造が複雑であり、部品点数が多く、ファインダ光学系の大型化を招くと言う欠点があった。さらに、調整の作業も容易なものではなかった。
【０００７】
【発明が解決しようとする課題】
本発明の目的は、構成が簡易で、部品点数が少なく、調整作業を容易に行うことができるファインダ光軸調整機構を提供することにある。
【０００８】
【課題を解決するための手段】
このような目的は、下記（１）〜（６）の本発明により達成される。
【０００９】
（１）  光学機器のファインダ光学系を構成するレンズと、
前記レンズを支持する支持部材と、
前記支持部材と係合し、前記レンズをその光軸方向に移動するよう案内する案内部材と、
前記案内部材の少なくとも一端部を前記レンズの光軸と垂直方向に直線的に移動させる光軸調整部材とを有し、
前記案内部材は、棒状をなし、その少なくとも一端部が、前記レンズの光軸と垂直方向に延在するようにファインダ本体に形成された長孔に挿通され、前記光軸調整部材は、前記案内部材の一端部と係合する係合部を有し、前記案内部材の少なくとも一端部を前記長孔に沿って前記レンズの光軸と垂直方向に直線的に移動させるように構成され、
前記光軸調整部材を操作して、前記レンズを前記案内部材と共に前記光軸と垂直方向に移動することによりファインダ光軸を調整することを特徴とするファインダ光軸調整機構。
【００１０】
（２）  前記係合部は、１対の突出片よりなるフォークで構成されている上記（１）に記載のファインダ光軸調整機構。
【００１１】
（３）  光学機器のファインダ光学系を構成するレンズと、
前記レンズを支持する支持部材と、
前記支持部材と係合し、前記レンズをその光軸方向に移動するよう案内する案内部材と、
前記案内部材の少なくとも一端部を前記レンズの光軸と垂直方向に直線的に移動させる光軸調整部材とを有し、
前記光軸調整部材は、前記レンズ以外のレンズをその光軸方向に移動するように案内する他の棒状の案内部材を中心に回動するよう設置され、
前記光軸調整部材をファインダ本体に対し回動するように操作して、前記レンズを前記案内部材と共に前記光軸と垂直方向に移動することによりファインダ光軸を調整することを特徴とするファインダ光軸調整機構。
【００１２】
（４）  前記光軸調整部材は、該光軸調整部材を前記ファインダ光学系の入射側から操作し得る操作部を有する上記（１）ないし（３）のいずれかに記載のファインダ光軸調整機構。
【００１３】
（５）  ファインダ光軸の調整後、前記光軸調整部材を不動の状態としてその調整状態を維持する維持手段を有する上記（１）ないし（４）のいずれかに記載のファインダ光軸調整機構。
【００１４】
（６）  前記維持手段は、光軸調整部材の一部を挟持して固定する構成のものである上記（５）に記載のファインダ光軸調整機構。
【００１８】
【発明の実施の形態】
以下、本発明のファインダ光軸調整機構を添付図面に示す好適実施例に基づいて詳細に説明する。
【００１９】
図１は、本発明のファインダ光軸調整機構の実施例を示す斜視図、図２、図３および図４は、それぞれ、図１に示すファインダ光軸調整機構の正面図、図５は、図２中のＶ−Ｖ線断面図である。
【００２０】
図１に示すように、本発明のファインダ光軸調整機構１は、カメラのファインダ光学系２に設置されている。このファインダ光学系２は、複数の光学要素で構成されている。すなわち、光学要素として、入射側（被写体側）から、第１レンズ３、第２レンズ４、第３レンズ５、図示しない反射ミラー（または反射プリズム）、コンデンサレンズ、視野枠、ピント板、プリズム、および接眼レンズ等が配置されている。
【００２１】
第１レンズ３は、支持部材３１により支持されている。支持部材３１は、孔３３が形成された摺動部３２を有しており、該摺動部３２の孔３３内には、第１レンズ３の光軸方向と平行に配置された棒状のガイドシャフト（案内部材）６が挿通されている。これにより、摺動部３２がガイドシャフト６に沿って摺動し、第１レンズ３がその光軸方向に移動する。
【００２２】
また、ガイドシャフト６の周囲には、コイルバネ（付勢部材）６１が圧縮状態で設置されている。コイルバネ６１の一端は、支持部材３１に当接し、コイルバネ６１の他端は、ガイドシャフト６の外周部に突出形成されたバネ座６２に当接している。このコイルバネ６１の弾性力により、支持部材３１は、カメラの正面側、すなわちファインダ光学系２の入射側へ付勢されている。
【００２３】
また、支持部材３１は、視度調整ネジ６３の先端が当接し得る当接部３４を有している。ファインダ本体９には、視度調整ネジ６３が螺合しており、一方、コイルバネ６１の弾性力により支持部材３１がカメラの正面側へ付勢されることにより、視度調整ネジ６３の先端が支持部材３１の当接部３４に当接している。これにより、支持部材３１およびこれに支持された第１レンズ３は、ガイドシャフト６の長手方向、すなわち光軸方向に対し静止している。
【００２４】
視度調整ネジ６３を正・逆いずれかの方向に回転させ、そのねじ込み量を変えることにより、視度調整ネジ６３の先端が当接部３４に当接した状態で支持部材３１がガイドシャフト６の長手方向に沿って移動し、第１レンズ３の光軸方向の位置が調整される。これにより、ファインダ光学系２の視度が調節される。
【００２５】
なお、ガイドシャフト６の外周部にバネ座６２を突出形成せず、ガイドシャフト６の止め部６５と反対側の端部が当接するファインダ本体９と当接部３４との間に、コイルバネ６１と同様（ただし全長がより長いもの）のコイルバネを圧縮状態で設置しても良い。この構成により、ガイドシャフト６にバネ座６２を設ける必要がなく、ガイドシャフト６をより単純な構成にすることができる。
【００２６】
第２レンズ４および第３レンズ５は、ファインダにおける画角調整用のレンズ（ズームレンズ）である。
【００２７】
第２レンズ４は、支持部材４１により支持されている。支持部材４１は、孔４３が形成された摺動部４２を有しており、該摺動部４２の孔４３内には、第２レンズ４の光軸方向と平行に配置された棒状のガイドシャフト（案内部材）７が挿通されている。これにより、摺動部４２がガイドシャフト７に沿って摺動し、第２レンズ４がその光軸方向に移動する。ガイドシャフト７は、前記ガイドシャフト６に対してもほぼ平行に配置されている。
【００２８】
また同様に、第３レンズ５も支持部材５１により支持されている。支持部材５１は、孔５３が形成された摺動部５２を有しており、該摺動部５２の孔５３内には、ガイドシャフト７が挿通されている。これにより、摺動部５２がガイドシャフト７に沿って摺動し、第３レンズ５がその光軸方向に移動する。
【００２９】
これら第２レンズ４および第３レンズ５は、それぞれ、カム機構等を備えたレンズ駆動機構（図示せず）によって駆動される。この場合、第２レンズ４および第３レンズ５は、撮影光学系においてズーミングにより設定された画角に対応する画角を作り出すような位置に移動される。
【００３０】
ガイドシャフト７のカメラ前方側（入射側）の端部（以下「前端部」と言う）は、ファインダ本体９の前板９１に固定的に支持されている（図２〜図５参照）。
【００３１】
一方、ガイドシャフト６のカメラ前方側（入射側）の端部（以下「前端部」と言う）は、ファインダ本体９の前板９１に形成された長孔９２内に挿通され、ガイドシャフト６の軸と略垂直方向（図２中上下方向）に移動可能に支持されている（図２〜図５参照）。
【００３２】
ガイドシャフト６、７の前端には、それぞれ、円盤状の止め部６５、７５が形成され、これらの止め部６５、７５が前板９１に係合することにより、ガイドシャフト６、７の軸方向の移動が規制されている。
【００３３】
ガイドシャフト７の前端部には、光軸調整部材８がガイドシャフト７を中心として回動自在に設置されている。この光軸調整部材８は、第１レンズ３をガイドシャフト６と共に第１レンズ３の光軸とほぼ垂直方向に移動させるための部材である。以下、この光軸調整部材８の構成および作用について説明する。
【００３４】
光軸調整部材８は、板状の部材を所望の形状に成形してなる部材であって、ガイドシャフト７が挿通される孔８１と、ガイドシャフト６の前端部と係合する一対の突出片よりなるフォーク（係合部）８２と、光軸調整部材８の回動操作を行う操作部８３と、フォーク８２と反対側に突出形成された挟持片８５とを有している。
【００３５】
光軸調整部材８は、前板９１の裏面（後面）側に設置されており、その孔８１にガイドシャフト７が挿通されてガイドシャフト７を中心として回動する。
【００３６】
フォーク８２は、ガイドシャフト６の前端部に係合している。この場合、ガイドシャフト６は、フォーク８２の一対の突出片間に挿入されている。
【００３７】
操作部８３は、図２の横方向から見てコ字状に折り曲げられて形成された２本のレバー８４で構成されている。両レバー８４は、前板９１の下部を通って前板９１の前面側まで延長されている。前板９１の前方から例えばドライバーのような道具の先端部を２本のレバー８４間に挿入し、これを図２中の左右いずれかの方向に移動することにより、光軸調整部材８の回動操作を行う。
【００３８】
図２に示す基準位置の状態から、操作部８３を前述したように操作して光軸調整部材８を図２中時計回りに回動させると、図３に示すように、フォーク８２がガイドシャフト６の前端部を下方に押し下げる。これにより、ガイドシャフト６の前端部は、長孔９２内を下方に移動し、これに伴い、ガイドシャフト６に挿通されている支持部材３１およびこれに支持されている第１レンズ３も同方向に移動する。その結果、ファインダ光軸（ファインダ光学系２の光軸）１００の角度が調整され、ファインダの視野が下方へシフトする。
【００３９】
また、図２に示す基準位置の状態から、操作部８３を前述したように操作して光軸調整部材８を図２中反時計回りに回動させると、図４に示すように、フォーク８２がガイドシャフト６の前端部を上方に押し上げる。これにより、ガイドシャフト６の前端部は、長孔９２内を上方に移動し、これに伴い、ガイドシャフト６に挿通されている支持部材３１およびこれに支持されている第１レンズ３も同方向に移動する。その結果、ファインダ光軸１００の角度が調整され、ファインダの視野が上方へシフトする。
【００４０】
このようなファインダ光軸１００の調整（ファインダの視野の調整）を行うことにより、ファインダ光学系２を構成する各光学要素自体の寸法誤差や、組み立て時の位置ずれによる誤差等をキャンセルし、ファインダの視野を設計値に近付けることができる。また、ファインダ光軸調整機構１を、撮影光学系による撮影画面との視差（パララックス）の補正に利用することもできる。
【００４１】
なお、このような調整において、第１レンズ３の図２中上下方向（第１レンズ３の光軸と垂直方向）の移動量は、光軸調整部材８の回動方向および回動角度に対応している。従って、光軸調整部材８の回動方向および回動角度を所望に設定することにより、ファインダ光軸１００の調整を適正に行うことができる。
【００４２】
また、ファインダ光軸調整機構１は、ファインダ光軸１００の調整後、その調整された状態を維持する維持手段１０を有している。この維持手段１０は、光軸調整部材８を不動の状態として、すなわち光軸調整部材８の回動を禁止してその調整状態を維持するものであり、ファインダ本体９に形成されたネジ孔（雌ネジ）１１と、このネジ孔１１に螺合する挟持用ネジ（雄ネジ）１２とで構成されている。
【００４３】
前述したように、第１レンズ３をガイドシャフト６と共に移動してファインダ光軸１００の調整を行ったら、ネジ孔１１に螺合している挟持用ネジ１２を所定方向に回転させて締め込み、挟持用ネジ１２の頭部１３とファインダ本体９のネジ孔１１の周囲の部分とで光軸調整部材８の挟持片８５を挟持、固定する。
【００４４】
このような維持手段１０を設けることにより、一旦調整したファインダ光軸１００が例えば振動等が作用することが原因で不本意にずれを生じてしまう等の不都合が防止される。
【００４５】
なお、このような維持手段１０による光軸調整部材８の固定は、最終的な固定でも、仮固定でもよい。後者の場合には、仮固定により位置決めされた光軸調整部材８に対し最終的に接着剤等で強固に固定することができる。
【００４６】
以上のようなファインダ光軸調整機構１では、第１レンズ３をその光軸と直交する方向に移動してファインダ光軸１００を調整するにあたり、第１レンズ３と係合しているガイドシャフト６を移動し、このガイドシャフト６と共に第１レンズ３を移動するので、従来のような複雑な構造の移動機構を別途設ける必要がなく、よって、構造の簡素化、部品点数の減少、ファインダ光学系の小型化を図ることができる。
【００４７】
特に、光軸調整部材８の回転軸として、ガイドシャフト７を兼用しているので、光軸調整部材８の回転軸としての部材を別途設ける必要がなく、更なる構造の簡素化、部品点数の減少に寄与する。
【００４８】
また、ファインダ光軸調整機構１は、光軸調整部材８を回動操作するだけでファインダ光軸１００の調整を行うことができ、しかも、この操作はカメラの前方側（ファインダ光学系２の入射側）から行うことができるので、調整作業が極めて容易である。
【００４９】
以上、本発明のファインダ光軸調整機構を図示の実施例について説明したが、本発明は、これらに限定されるものではなく、例えば、光軸と垂直方向に移動するレンズは、第２レンズ４、第３レンズ５のような第１レンズ３以外のレンズであってもよい。また、光軸調整部材８の形状、構造、機能等も、前述した実施例のものに限定されない。
【００５０】
また、本発明のファインダ光軸調整機構が搭載される光学機器は、カメラに限らず、その他、例えばビデオカメラ、テレビカメラ、望遠鏡、双眼鏡、顕微鏡、各種光学測定機器、計測機器、観測機器等の光学機器に適用することができる。
【００５１】
【発明の効果】
以上述べたように、本発明のファインダ光軸調整機構によれば、レンズをガイドシャフトと共に移動することによりファインダ光軸を調整するので、部品点数が少なく、構成が簡易であり、よって、ファインダ光学系の小型化に寄与する。
【００５２】
特に、光軸調整部材が他のガイドシャフトを中心に回動するよう設置されている場合には、前記効果がより顕著に発現される。
【００５３】
また、本発明のファインダ光軸調整機構は、調整作業を容易に行うことができる。
【図面の簡単な説明】
【図１】本発明のファインダ光軸調整機構の実施例を示す斜視図である。
【図２】図１に示すファインダ光軸調整機構の正面図である。
【図３】図１に示すファインダ光軸調整機構の正面図である。
【図４】図１に示すファインダ光軸調整機構の正面図である。
【図５】図２中のＶ−Ｖ線断面図である。
【符号の説明】
１            ファインダ光軸調整機構
２            ファインダ光学系
３            第１レンズ
３１          支持部材
３２          摺動部
３３          孔
３４          当接部
４            第２レンズ
４１          支持部材
４２          摺動部
４３          孔
５            第３レンズ
５１          支持部材
５２          摺動部
５３          孔
６            ガイドシャフト
６１          コイルバネ
６２          バネ座
６３          視度調整ネジ
６５          止め部
７            ガイドシャフト
７５          止め部
８            光軸調整部材
８１          孔
８２          フォーク
８３          操作部
８４          レバー
８５          挟持片
９            ファインダ本体
９１          前板
９２          長孔
１０          維持手段
１１          ネジ孔
１２          挟持用ネジ
１３          頭部
１００        ファインダ光軸
【図１】
0003974266.tif 000002
【図２】
0003974266.tif 000003
【図３】
0003974266.tif 000004
【図４】
0003974266.tif 000005
【図５】
0003974266.tif 000006